(57)【要約】      （修正有）【課題】携帯情報端末のディスプレイに表示される画像を手軽に拡大して投影できると共に、使用者が手軽に入手できる形態の簡易投影装置を提供する。【解決手段】スマートフォン等の携帯情報端末２１０に表示される画像を投影する簡易投影装置１０であって、前面に凸レンズを保持する筐体１と、筐体１内に配置され、携帯情報端末２１０のディスプレイを凸レンズに相対するように固定する支持部材と、を少なくとも具備することを特徴とする。【選択図】図４
0003202570.tif 000002
【実用新案登録請求の範囲】
【請求項１】
スマートフォン等の携帯情報端末に表示される画像を投影する簡易投影装置であって、前面に凸レンズを保持する筐体と、
前記筐体内に配置され、前記携帯情報端末のディスプレイを前記凸レンズに相対するように固定する支持部材と、
を少なくとも具備することを特徴とする簡易投影装置。
【請求項２】
請求項１に記載の簡易投影装置であって、
前記筐体が紙製の包装容器であることを特徴とする簡易投影装置。
【請求項３】
請求項２に記載の簡易投影装置であって、
前記支持部材が紙製部材であることを特徴とする簡易投影装置。
【請求項４】
請求項１〜３のいずれか１に記載の簡易投影装置であって、
前記凸レンズは筒体の先端部に保持されていて、前記筒体を前記筐体の前面に設けた開口部に挿入することにより前記筐体の前面で前記凸レンズを保持することを特徴とする簡易投影装置。
【請求項５】
請求項４に記載の簡易投影装置であって、
前記筒体の先端部には複数の差し込み孔が設けられていて、前記差し込み孔に前記凸レンズの外縁を差し込むことにより前記凸レンズが前記筒体の先端部に保持されることを特徴とする簡易投影装置。
【請求項６】
請求項４または５に記載の簡易投影装置であって、
前記筒体が多角柱であることを特徴とする簡易投影装置。
【請求項７】
請求項５に記載の簡易投影装置であって、
前記筒体が多角柱であって、前記筒体を構成する複数の側板のうち、互いに隣り合わない側板に前記差し込み孔が設けられていることを特徴とする簡易投影装置。
【請求項８】
請求項７に記載の簡易投影装置であって、
前記差し込み孔が設けられている差し込み側板の幅は、前記差し込み孔が設けられていない孔無し側板の幅よりも広いことを特徴とする簡易投影装置。
【請求項９】
請求項４〜８のいずれか１に記載の簡易投影装置であって、
前記筒体が紙製の柱状体であることを特徴とする簡易投影装置。
【請求項１０】
請求項１〜９のいずれか１に記載の簡易投影装置であって、
前記筐体の底面には少なくとも１つの音穴が設けられていることを特徴とする簡易投影装置。
【請求項１１】
請求項１〜１０のいずれか１に記載の簡易投影装置であって、
前記筐体が直方体であり、前記前面は前記筐体の幅面であることを特徴とする簡易投影装置。
【考案の詳細な説明】
【技術分野】
【０００１】
本考案は、スマートフォン等の携帯情報端末に表示される画像を投影する簡易投影装置に関する。なお、本考案で言う「画像」とは静止画像若しくは動画像のことを指す。
【背景技術】
【０００２】
近年、スマートフォンやＰＤＡ（Ｐｅｒｓｏｎａｌ  Ｄｉｇｉｔａｌ  Ａｓｓｉｓｔａｎｔ若しくはＰｅｒｓｏｎａｌ  Ｄａｔａ  Ａｓｓｉｓｔａｎｃｅ）等の携帯情報端末には大量のデータが収納及び表示されるようになっており、これらの携帯情報端末の使用者は、収納されたデータ若しくはインターネットからダウンロードした画像のデータの編集及び閲覧を、場所を選ばず手軽に行うことができる。
【０００３】
このような携帯情報端末で表示される情報には使用者個人で見るものだけでなく、複数人が同時に見るべき情報も多くあるが、携帯情報端末のディスプレイは小さいため、複数人で見るのは難しい。そのため、携帯情報端末のディスプレイに表示された画像を大きく拡大して見ることができる投影機能が望まれている。
【０００４】
従来、こうした投影機能を実現する方法としては、携帯情報端末をパソコンやプロジェクタに接続して投影する方法が行われてきた（例えば、特許文献１）。
特許文献１のように携帯情報端末をパソコンやプロジェクタに接続して投影する方法では、携帯情報端末の画像を投影できる場所が、パソコンやプロジェクタを設置できる場所に限定されてしまい、携帯情報端末が持つ手軽さを低減することになってしまっていた。
また、プロジェクタは透過型液晶ディスプレイと光源を有するので高価であり、音声を再生する場合にはプロジェクタ本体だけでなく、アンプとスピーカーも必要になるため、使用者が思いついた時に手軽に投影することはできなかった。
【０００５】
投影機能を実現する別の方法として、携帯情報端末自体にプロジェクタを組み込む方法もある（例えば、特許文献２）。
しかし、特許文献２のように携帯情報端末自体にプロジェクタを組み込んだ場合には、使用者が携帯情報端末を手に持った状態で壁等に向かって投影するか、携帯情報端末を壁に向かって立てられる支持部材を用意する必要があった。
使用者自らが携帯情報端末を手に持つ場合には、使用者自身は拡大された画像の近くに行くことができないため、他の画像閲覧者と拡大画像の近くで議論することができず、会議には不向き等用途が限定されてしまっていた。
一方、支持部材を用意する場合にも、ちょうど良い支持部材を探すまでに時間がかかったり、支持部材になるものが設置されている場所に限定されてしまったりするため、携帯情報端末が持つ手軽さを低減することになってしまっていた。
【０００６】
公知文献を以下に示す。
【先行技術文献】
【特許文献】
【０００７】
【特許文献１】特開２０１０−２３２９３１号公報
【特許文献２】特開２００７−０３６８４３号公報
【考案の概要】
【考案が解決しようとする課題】
【０００８】
本考案は上記のような事情に鑑みてなされたもので、携帯情報端末のディスプレイに表
示される画像を手軽に拡大して投影できる簡易投影装置を提供することを課題とする。
【課題を解決するための手段】
【０００９】
本考案は係る課題に鑑みなされたものであり、本考案の簡易投影装置は、スマートフォン等の携帯情報端末に表示される画像を投影する簡易投影装置であって、前面に凸レンズを保持する筐体と、前記筐体内に配置され、前記携帯情報端末のディスプレイを前記凸レンズに相対するように固定する支持部材と、を少なくとも具備することを特徴とする。
【００１０】
また、本考案の簡易投影装置の前記筐体は紙製の包装容器であってもよく、さらに、前記支持部材も紙製部材であっても良い。
【００１１】
また、本考案の簡易投影装置の前記凸レンズは筒体の先端部に保持されていて、前記筒体を前記筐体の前面に設けた開口部に挿入することにより前記筐体の前面で前記凸レンズを保持する構成としても良い。
このとき、前記筒体の先端部には複数の差し込み孔が設けられていて、前記差し込み孔に前記凸レンズの外縁を差し込むことにより前記凸レンズが前記筒体の先端部に保持されるようにしても良い。
【００１２】
また、本考案の簡易投影装置の前記筒体は多角柱であっても良い。
このとき、前記筒体を構成する複数の側板のうち、互いに隣り合わない側板に前記差し込み孔が設けられていても良い。
なお、この場合の前記差し込み孔が設けられている差し込み側板の幅は、前記差し込み孔が設けられていない孔無し側板の幅よりも広くするのでも良い。
【００１３】
また、本考案の簡易投影装置の前記筒体は紙製の柱状体であっても良い。
【００１４】
また、本考案の簡易投影装置の前記筐体の底面には少なくとも１つの音穴が設けられていても良い。
【００１５】
また、本考案の簡易投影装置の前記筐体は直方体であり、前記前面は前記筐体の短辺を含む幅面であっても良い。
【考案の効果】
【００１６】
本考案の簡易投影装置は、前面に凸レンズを保持する筐体と、前記筐体内に配置され、前記携帯情報端末のディスプレイを前記凸レンズに相対するように固定する支持部材と、を少なくとも具備することにより、当該簡易投影装置さえあれば、壁等の任意の場所にどこでも投影することが可能となる。
また、携帯情報端末のバックライトの輝度を最大に設定すれば、数人で見るには十分な明るさの画像を投影することが可能となる。つまり、別途電源を必要とする光源を使用しないため、場所を選ばず手軽に投影することが可能となる。
また、前記筐体が共鳴箱の役割をも担うため、携帯情報端末から出力される音を大きく増幅して聴くことも可能となる。
【００１７】
また、本考案の簡易投影装置の前記筐体が紙製であることにより、投影装置を安価に製造することが可能となる。また、前記筐体が包装容器であることにより、投影装置の筐体としての使用だけでなく、物品を収納する包装容器としての使用も可能となる。
さらに、前記支持部材も紙製の部材とすることにより、投影装置をより安価に製造することが可能になると共に、廃棄時にも前記筐体と前記支持部材とを分別する必要がないため、より手軽に使用することも可能となる。
【００１８】
また、本考案の簡易投影装置の前記凸レンズは筒体の先端部に保持されていて、前記筒体を前記筐体の前面に設けた開口部に挿入することにより前記筐体の前面で前記凸レンズを保持する構成を採用することにより、前記支持部材に固定された携帯情報端末のディスプレイと前記凸レンズとの距離を調整することが可能となる。これにより、本考案の簡易投影装置を利用して投影した像の焦点を合わせやすくなる。
【００１９】
また、前記筒体の先端部には複数の差し込み孔が設けられていて、前記差し込み孔に前記凸レンズの外縁を差し込むことにより前記凸レンズが前記筒体の先端部に保持されるようにすることにより、前記筒体内での前記凸レンズの位置を安定させることが可能となる。
【００２０】
また、本考案の簡易投影装置の前記筒体を多角柱とすることにより、当該多角柱を構成する側板の長辺で容易に折り畳むことができるため、前記筒体を折り畳んで小さくした状態で持ち運ぶことが可能となる。
【００２１】
また、前記筒体を構成する複数の側板のうち、互いに隣り合わない側板に前記差し込み孔を設けることにより、前記凸レンズの位置を固定する場所が前記凸レンズの外周の一方向に偏ることなく、前記凸レンズ全体を安定的に保持することが可能となる。
さらに、前記差し込み孔が設けられている差し込み側板の幅を、前記差し込み孔が設けられていない孔無し側板の幅よりも広くすることにより、前記差し込み孔の長さを前記凸レンズの外縁を差し込んで係止できる程度に長く形成することも可能となる。
【００２２】
また、前記筒体を紙製にすることにより、前記筒体の組み立て及び廃棄、リサイクルが容易となる。
【００２３】
また、前記筐体の底面に少なくとも１つの音穴が設けられていることにより、簡易投影装置の遮光性は保ったままで携帯情報端末から出力されて前記筐体内で増幅された音を簡易投影装置の外部へ取り出すことが可能となる。
【００２４】
また、前記筐体を直方体とし、前記前面が前記筐体の短辺を含む幅面であることにより、前記前面を前記筐体の長辺を含む長さ面とした場合に比べて、前記支持部材に固定された携帯情報端末のディスプレイと前記凸レンズの間の距離を調整できる範囲を広く取ることが可能となる。これにより、確実に前記凸レンズの焦点距離以上の場所に携帯情報端末のディスプレイを固定することが可能となり、前記凸レンズを通して当該簡易投影装置の前面より前方に実像を投影することができる。
【図面の簡単な説明】
【００２５】
【図１】本考案の簡易投影装置の実施形態の展開図である。
【図２】本考案の簡易投影装置の実施形態の変形例を模式的に示した説明図である。（ａ）は筐体の展開図、（ｂ）は使用状態を側面から見た状態を示す。
【図３】本考案の簡易投影装置の実施形態の支持部材を組み立てた状態を模式的に示した説明図である。（ａ）は支持部材のみ、（ｂ）は支持部材に携帯情報端末を固定した状態を示す。
【図４】本考案の簡易投影装置の実施形態の使用状態の断面を模式的に示した説明図である。
【図５】本考案の簡易投影装置の実施形態の使用状態を模式的に示した説明図である。
【考案を実施するための形態】
【００２６】
以下、本考案を実施するための実施形態につき図面を参照して説明する。
【００２７】
本考案の簡易投影装置１０は、筐体１、支持部材２、筒体３、凸レンズ４から構成される。
【００２８】
筐体１は、投影装置として十分な程度の遮光性を有する材料であれば良く、安価で加工を容易にすることも考慮すれば、両面段ボールや複両面段ボール等の段ボール、白ボール紙等の板紙、若しくは厚紙であることが好ましい。また、そのおもて面や裏面に樹脂層などが設けられていても良い。
【００２９】
筐体１は図１の展開図のようなＢ式ワンタッチタイプのシートブランクからなる直方体型の箱を成すものであり、側面は長辺を含む一対の長さ面１０２、１０４と短辺を含む一対の幅面１０１、１０３の４つの面が一点鎖線で示す折罫を介して連接されている。この側面を折罫で折り曲げ、両端に位置する長さ面１０４と幅面１０３とを、長さ面１０４の側端に連接している糊代部で接着することにより四角筒状に組み立てることができる。
【００３０】
また、筐体１の底部は、長さ面１０２、１０４に連接する底面１０５、１０６と幅面１０１、１０３に連接する略台形型の底フラップ１０７、１０８からなる。底面１０５、１０６は、全体として略長方形の長辺の一部が略台形形状に凹んだ形状を成しており、当該略台形形状の凹みと一方の短辺に囲まれた糊付け部１０５ａ、１０６ａを有している。また、底面１０５、１０６は、当該略台形形状の凹みの上辺１０５ｃ、１０６ｃとで突き合わせになるように設計されている。
筐体１の底部を組み立てる際にはまず、底面１０５、１０６及び底フラップ１０７、１０８を、四角筒の内面で筐体１の側面と接するように側面との境界の折罫で内方に折り曲げる。その後、一対の底面１０５、１０６の一部であって、折罫で区切られた糊付け部１０５ａ、１０６ａを、それぞれ隣り合う底フラップ１０８、１０７と接着する。つまり、糊付け部１０５ａと底フラップ１０８、糊付け部１０６ａと底フラップ１０７がそれぞれ接着される。このとき、底フラップ１０７を構成する辺のうち底面１０６とは反対側の辺と、底面１０６の糊付け部１０６ａのうち略台形形状の凹みを構成する辺１０６ｂとが重なるようにして接着する。底フラップ１０８と底面１０５も同様に、底フラップ１０８を構成する辺のうち底面１０５とは反対側の辺と、底面１０５の糊付け部１０５ａのうち略台形形状の凹みを構成する辺１０５ｂとが重なるようにして接着する。
その後、筐体１の側面を四角筒状になるように形を整えて、当該四角筒の内方で一対の底面１０５、１０６を上方から押すと、底面１０５、１０６の略台形形状の凹みの上辺１０５ｃ、１０６ｃが突き合わされて底部の組み立てが完了する。
【００３１】
筐体１の天面は幅面１０１、１０３に連接する一対の天フラップ１１０ａ、１１０ｂと、長さ面１０２に連接する外蓋１０９ａと、長さ面１０４に連接する内蓋１０９ｂと、からなる。また、外蓋１０９ａ及び内蓋１０９ｂは共に天面全面を覆うようになっている。筐体１の天面を組み立てる際には、一対の天フラップ１１０ａ、１１０ｂを側面との境界の折罫で内方に折り曲げた後、内蓋１０９ｂを側面との境界の折罫で折り曲げ、内蓋１０９ｂの先端に連接された折り曲げ部１０９ｅが長さ面１０２の内面に接するように差し込む。その後、外蓋１０９ａを側面との境界の折罫で折り曲げ、外蓋１０９ａの先端部１０９ｃを内蓋１０９ｂと側面との境界に設けられた切り込み部１０９ｆに差し込み、さらに、外蓋１０９ａの先端部１０９ｃに設けられた切込み部１０９ｄに内蓋１０９ｂと側面との境界に設けられた差し込み片１０９ｇを差し込むことにより筐体１の組み立てが完了する。
【００３２】
筐体１の一対の幅面１０１、１０３のうち一方を前面１０１とする。前面１０１内には筒体３を挿入する開口部５を形成するための切り込み線を有する。また、一対の長さ面１０２、１０４に連接する底面１０５、１０６のうち一方の底面１０６に筐体１内の音を取り出す音穴６を設けている。
【００３３】
また、図１に示す筐体１の天面は、一対の天フラップ１１０ａ、１１０ｂと内蓋１０９ｂ及び外蓋１０９ａで覆われているが、これに限らず天面全面が覆われていれば良い。遮光性を考慮すると、一対の天フラップ１１０ａ、１１０ｂと蓋の組み合わせを有することが好ましく、蓋は内蓋１０９ｂ若しくは外蓋１０９ａのいずれか一方としても良い。
【００３４】
筐体１の大きさは特に限定されず、高さ及び幅は開口部５を切り開いても前面１０１の強度が保てる程度の余白が開口部５の周囲にあれば良い。
また、長さは凸レンズ４の焦点距離以上であることが好ましい。簡易投影装置１０の前方に実像を投影するためには、筒体３により前面１０１よりも前方に配置される凸レンズ４と筐体１内の支持部材２に固定される携帯情報端末２１０のディスプレイ２１１との間の距離が凸レンズ４の焦点距離以上である必要がある。支持部材２の奥行きと焦点合わせの微調整分を考慮すれば、筐体１の長さ自体を凸レンズ４の焦点距離以上としておくことが好ましい。
なお、筐体１は投影装置としての使用をしない時には物品を収納する包装容器として使用できることが好ましい。例えば、筐体１が缶入り飲料の包装容器を兼ねて、支持部材２、筒体３、及び凸レンズ４は景品として筐体１内に缶入り飲料と共に封入した状態で販売することにより缶入り飲料の販売促進効果にもつながる。筐体１が大きくなりすぎると簡易投影装置１０の手軽さが低減してしまうため、例えば、缶入り飲料６缶を支持部材２、筒体３、及び凸レンズ４と共に包装できる程度の大きさであることが好ましい。この場合、支持部材２、筒体３、及び凸レンズ４は小型の箱等に一まとめにして封入することが好ましい。
【００３５】
開口部５は、筒体３を差し込んだ時に隙間が生じて遮光性が損なわれないよう、筒体３の断面形状に合わせて形成される。
【００３６】
なお、本実施形態では凸レンズ４を保持するための筒体３を開口部５に挿入する構成としているが、筒体３を使用せずに、開口部５を図２（ａ）に示すような凸レンズ４の直径より小さな円形とし、開口部５に凸レンズ４を嵌め込むことにより開口部５の縁で凸レンズ４の外縁を保持する、若しくは、接着剤等で開口部５の周囲の前面１０１に固定するようにしても良い。
ただし、凸レンズの焦点合わせの容易性を考慮した場合、図２のようにして凸レンズ４を保持するのではなく、筒体３を用いて凸レンズ４を保持する方が好ましい。
【００３７】
底面１０５ｂには筐体１内の音を取り出す音穴６を設けている。音穴６を設けなくても筐体１のわずかな隙間から漏れ出る音を聴くことは可能だが、より大きな音量で明瞭な音を聴くためには、音穴６を設けることが好ましい。なお、音穴６を設ける位置は遮光性を考慮して底面に設けることが好ましく、底フラップ１０６ａ、１０６ｂと重ならない位置の底面１０５ａ、１０５ｂとすることが好ましい。また、本実施形態での音穴６は底面１０５ｂに一箇所のみとしているが、数や大きさ、形状に限りは無い。
また、筐体１を包装容器として使用する場合には、音穴６が設けられていることにより、包装容器内の物品の内容を確認することもできる。例えば、底面に賞味期限等を記した缶入り飲料を収納した場合には、包装容器を開封せずに賞味期限等を確認することができるので非常に便利である。
【００３８】
次に、支持部材２について説明する。支持部材２は、携帯情報端末２１０を支えるのに十分な程度の強度を有する材料であれば良く、安価で加工を容易にすることも考慮すれば、両面段ボールや複両面段ボール等の段ボール、白ボール紙等の板紙、若しくは厚紙であることが好ましい。また、そのおもて面や裏面に樹脂層などが設けられていても良い。支持部材２は図１の展開図のようなシートブランクを一点鎖線で示す折罫で折って組み立てることができる。
【００３９】
支持部材２は、前面支持部２０１、後面支持部２０２、前面支持部２０１と後面支持部２０２を含む立ち上げ部２０３、前面底部２０４、組み立て部２０５、及び後面底部２０６を備えている。
前面底部２０４は一対の立ち上げ部２０３と組み立て部２０５で囲まれた領域であり、立ち上げ部２０３との境界は折罫、組み立て部２０５との境界は切り取り線となっている。後面底部２０６も同様に一対の立ち上げ部２０３と組み立て部２０５で囲まれた領域であり、立ち上げ部２０３及び組み立て部２０５との境界は折罫となっている。なお、組み立て部２０５の横幅は、前面底部２０４の横幅よりも長くなっている。
また、組み立て部２０５は前面底部２０４と立ち上げ部２０３との境界と接する部分に凹み部２０５ａを有し、両側端の後面底部２０６側は鋭角に突き出る突出部２０５ｂを有する。このとき、一対の立ち上げ部２０３には突出部２０５ｂに沿って係止部２０３ａが形成されることになる。
【００４０】
支持部材２を使用する際には、図３（ａ）に示すように、前面底部２０４の横両側の折罫を折り曲げて立ち上げ部２０３を立て、組み立て部２０５も後面底部２０６との境界の折罫で折り曲げて立ち上げる。その後、組み立て部２０５の凹み部２０５ａと立ち上げ部２０３の係止部２０３とが係止させて支持部材２の組み立てが完了する。
【００４１】
前面底部２０４の幅は、携帯情報端末２１０のディスプレイ２１１幅よりも広くする必要がある。これは、前面底部２０４の幅がディスプレイ２１１幅よりも短いと、使用時に前面支持部２０１がディスプレイ２１１に重なってしまうことになり投影する画像が一部欠けてしまうからである。また、携帯情報端末２１０のバックライト光も一部遮られることになるため、画像が暗くなってしまうという問題も生じてしまう。
【００４２】
携帯情報端末２１０は、図３（ｂ）に示すように前面支持部２０１と後面支持部２０２の間に挟むように横向きで立てかけて使用する。このとき、後面支持部２０２は折り目をつけずに軽く折り曲げることにより、図４に示すように後面支持部２０２が元の位置に戻ろうとする付勢力を利用して携帯情報端末２１０を後ろから支える。
なお、携帯情報端末２１０を固定する際には、前面支持部２０１がディスプレイ２１１に重ならない位置に固定する。
【００４３】
また、携帯情報端末２１０を支持部材２に固定して画像を表示する場合には、携帯情報端末２１０のディスプレイ２１１には上下左右を反転させた反転画像を表示させる。ディスプレイ２１１の上下を逆さにした状態で支持部材２に固定して左右逆の画像を投影するのでも良いし、正位置のままで反転画像を表示するのでも良い。また、筐体１内の支持部材２と前面１０１との間に鏡を配置することにより凸レンズ４に入射する画像の上下左右を反転させるのでも良い。
上下左右が反転した反転画像が凸レンズ４に入射することにより、凸レンズ４の前方に上下左右が正しい位置の画像の実像を投影することが可能となる。
【００４４】
支持部材２を筐体１内に配置する際には、携帯情報端末２１０のディスプレイ２１１が凸レンズ４と正対し、凸レンズ４の焦点距離以上離れた位置になるように配置する。使用者の利便性を考慮して、筐体１内に予め支持部材２の配置位置を図示しておくことが好ましい。
また、凸レンズ４とディスプレイ２１１との間の距離は、凸レンズ４の焦点距離より長ければ良い。焦点距離よりも少しだけ長い距離とすれば遠くに大きな実像を投影することができ、逆に焦点距離よりもかなり長い距離とすれば近くにそれほど大きくない実像を投影することができる。画像を見る人数に合わせて調整することができるため、筐体１内に図
示する支持部材２の配置位置は、１０人程度の大人数で見る場合の位置と５人程度の標準位置、２人程度が近くで鑑賞する場合の位置の３通りを示しておくことが好ましい。
【００４５】
次に、筒体３について説明する。筒体３は、凸レンズ４を安定して保持するのに十分な程度の強度を有する材料であれば良く、安価で加工を容易にすることも考慮すれば、両面段ボールや複両面段ボール等の段ボール、白ボール紙等の板紙、若しくは厚紙であることが好ましい。また、そのおもて面や裏面に樹脂層などが設けられていても良い。筒体３は図１の展開図のようなシートブランクを一点鎖線で示す折罫で折って組み立てることができる。
【００４６】
本実施形態での筒体３は八角柱の形状であり、凸レンズ４の外縁を差し込む差し込み孔３０１と、差し込み孔３０１を有する４枚の差し込み側板３０２及び差し込み孔３０１を有さない４枚の孔無し側板３０３からなる。また、差し込み側板３０２と孔無し側板３０３とは交互に配置されており、差し込み側板３０２の方が孔無し側板３０３よりも幅が広くなっている。
孔無し側板３０３の幅を狭くすることにより、より遮光性を高めることが可能となる。これに加えて、差し込み側板３０２の幅を広くすることにより差し込み孔３０１を長くすることが可能となるため、差し込み孔３０１で凸レンズ４の外縁をしっかりと保持することが可能となる。
【００４７】
また、筒体３の形状は八角柱に限らず六角柱としても良いが、円柱ではなく多角柱であることが好ましい。これは、凸レンズ４の外縁に沿った形の円柱にしてしまうと差し込み孔３０１に凸レンズ４の外縁を差し込むことができずに保持力が弱まってしまうだけでなく、多角柱の場合には当該多角柱を構成する側板の長辺で容易に折り畳むことができるのに対し、円柱を折り畳むことはできないため、筒体３を折り畳んで小さくした状態で持ち運ぶことができずに不便だからである。
また、多角柱の角の数を６より小さくすると凸レンズ４と筒体３の間に生じる隙間が大きくなってしまい遮光性が低下してしまう。一方、８より大きな角数の多角柱にすると、各側板の短辺が短くなってしまい差し込み孔３０１を形成できないか、形成できても差し込み孔３０１が小さすぎて凸レンズ４の外縁を保持することが困難となってしまい、凸レンズ４が筒体３から外れ易くなってしまう。
なお、筒体３を多角柱とする場合の角数は、奇数ではなく偶数にすることが好ましい。これは、偶数角の多角柱の方が差し込み側板３０２と孔無し側板３０３を交互に配置して差し込み側板３０２の幅を広く設定することが容易になるからである。
【００４８】
次に、凸レンズ４について説明する。凸レンズ４の材質にはガラス若しくは有機ガラスなどの透明なプラスチックが使用される。凸レンズの径、焦点距離、倍率は筐体１の大きさに合わせて適宜選択できる。
【００４９】
使用者が簡易投影装置１０を使用する際は、図３のように支持部材２を組み立てて使用者自身が保有する携帯情報端末２１０を固定し、図４のように携帯情報端末２１０を固定した支持部材２を筐体１内の所定箇所に配置する。次に、筐体１の前面１０１に設けられた切り取り線を切って開口部５を形成する。その後、筒体３を組み立てて凸レンズ４の外縁を差し込み孔３０１に差し込むことにより凸レンズ４を保持した筒体３を、図５のように凸レンズ４が筐体１の外側に出るようにして開口部５に挿入する。そして、携帯情報端末２１０を操作してディスプレイ２１１に画像を表示させ、適当な位置の壁若しくは別途用意した反射性の高い紙やプラスチックからなるスクリーンに投影する。このとき、投影された像にボケが生じている場合には、筒体３を少し抜き差しするか、支持部材２の配置位置を少し調整して焦点を合わせる。
【００５０】
本考案の簡易投影装置１０の使用者は、支持部材２、筒体３、及び凸レンズ４が缶入り飲料等の商品と共に筐体１内に封入されたものを購入することにより、当該商品と共に簡易投影装置１０を手にすることができるため、非常に手軽に入手が可能である。これに加えて、凸レンズ４以外のすべての部材を紙製にすることにより、安価に製造できるだけでなく、組み立て及び廃棄やリサイクルを容易にすることも可能となる。
【００５１】
本考案によれば、携帯情報端末２１０のディスプレイ２１１に表示される画像を手軽に拡大して投影できる簡易投影装置１０を提供することが可能となる。
【符号の説明】
【００５２】
１・・・筐体
２・・・支持部材
３・・・筒体
４・・・凸レンズ
５・・・開口部
１０・・・簡易投影装置
２１０・・・携帯情報端末
【図１】
0003202570.tif 000003
【図２】
0003202570.tif 000004
【図３】
0003202570.tif 000005
【図４】
0003202570.tif 000006
【図５】
0003202570.tif 000007